(57)【要約】【課題】脚を通した瞬間から暖かさを感じることのできるタイツを提供する。【解決手段】このタイツは、第１の編糸１０および第２の編糸２０を含んで編成され、第１の編糸１０としてシングルカバリング糸を採用してゾッキタイプで編成して、このゾッキ編みの地編み組織に対して第２の編糸２０によるループが肌側（肌側ループ２２）に反対の外側（外側ループ２１）よりも多く存在するように、かつ、第２の編糸２０自体が編目を構成することなく編成して、外観がゾッキ調で肌側が（パイルではなく）フリース調で構成する。【選択図】図２
2019151942.tif 000002
【特許請求の範囲】
【請求項１】
第１の編糸および第２の編糸を含んで編成した下半身用衣類であって、
前記第１の編糸で編んだゾッキ編み組織に対して、前記第２の編糸によるループが肌側に反対の外側よりも多く存在するように、かつ、前記第２の編糸自体が編目を構成することなく編成し、
前記第１の編糸がカバリング糸であって前記第２の編糸がウーリーナイロン糸であることを特徴とする、下半身用衣類。
【発明の詳細な説明】
【技術分野】
【０００１】
本発明は、タイツまたはパンティストッキングに代表される下半身用衣類（パンティストッキング型およびレッグ部のみのタイツまたはストッキング、ショートストッキング、靴下、フットカバー、スパッツ等）に関し、特に、外観（外側）はゾッキ調であるにも関わらず、肌側（内側）はフリース調で暖かい、タイツに代表される下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
上述した伝線を防止するストッキングが実用新案登録第３１５５８６３号公報（特許文献１）に開示されている。この特許文献１は、２種類の糸を使用して編成するために伝線の発生を防止できない交編タイプのストッキングとは異なるゾッキタイプのストッキングを開示する。
このストッキングは、地糸としてポリウレタン糸を芯糸にしたカバリング糸を使用してゾッキ編みにより編成されてなることを特徴とする。この特徴を有するストッキングは、合着ポリウレタン糸を芯糸にしたカバリング糸を地糸として使用してゾッキ編みによりストッキングを編成することにより、交編編みのストッキングとは異なって、一部の網目が切れたときでも、合着ポリウレタン糸を使用した地糸どうしがその接触部において互いに食い込んで離れ難いという機能性が発揮され、地糸どうしが密着する構造が生まれて、簡単にランするようなことがなく、生地面が美しくて編地が柔らかい風合いを有する。
【先行技術文献】
【特許文献】
【０００５】
【特許文献１】実用新案登録第３１５５８６３号公報
【発明の概要】
【発明が解決しようとする課題】
【０００６】
しかしながら、特許文献１に開示されたストッキングは、ゾッキタイプのストッキングであって合着ポリウレタン糸を使用した地糸どうしがその接触部において互いに食い込んで伝線しにくいとはいえ、この技術的特徴をたとえば冬季の防寒用途に使用されることの多いタイツに適用しても、タイツに求められる暖かさを実現することは難しい。このため、防寒性を高める通常の手法である太い編糸（デニールが大きい編糸）により編成して、タイツに求められる暖かさを編地の厚さにより実現せざるを得ない。太い編糸を用いて暖かさを実現するにあたり、デニールを単に大きくするだけではなく、脚を通した瞬間から暖かさを感じることのできる、タイツに代表される下半身用衣類を実現すべく、本願出願人は鋭意開発した。
【０００７】
本発明は、従来技術の上述の問題点に鑑みて開発されたものであり、その目的とするところは、脚を通した瞬間から暖かさを感じることのできるタイツに代表される下半身用衣類を提供することである。
【課題を解決するための手段】
【０００８】
上記目的を達成するため、本発明に係る下半身用衣類は以下の技術的手段を講じている。
すなわち、本発明に係る下半身用衣類は、第１の編糸および第２の編糸を含んで編成した下半身用衣類であって、前記第１の編糸で編んだゾッキ編み組織に対して、前記第２の編糸によるループが肌側に反対の外側よりも多く存在するように、かつ、前記第２の編糸自体が編目を構成することなく編成し、前記第１の編糸がカバリング糸であって前記第２の編糸がウーリーナイロン糸であることを特徴とする。
【発明の効果】
【０００９】
本発明によれば、脚を通した瞬間から暖かさを感じることのできるタイツに代表される下半身用衣類を提供を提供することができる。
【図面の簡単な説明】
【００１０】
【図１】本発明の実施の形態に係るタイツの概略正面図である。
【図２】図１のタイツの編み組織の構成を模式的に示す（Ａ）平面図、（Ｂ）断面図である。
【発明を実施するための形態】
【００１１】
以下、本発明の実施の形態として、脚を通した瞬間から暖かさを感じることのできる下半身用衣類の一例であるタイツ１を、図面に基づき詳しく説明する。なお、以下の説明において、編目構造の説明におけるループとは閉じた編目を編成するものに限定されない。［構成］
図１に、本実施の形態に係るタイツ１の概略正面図を示す。このタイツ１は、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１２】
なお、本発明において、対象をタイツ（特に、脚を通した瞬間から暖かさを感じることのできるタイツ）としているが、タイツよりも一般的に薄手のストッキングを含むこと、その他の下半身用衣類を含むことは、技術分野で上述した通りである。
このタイツ１においては、肌側がフリース調で脚を通した瞬間から暖かさを感じることができ（速攻防寒性に優れ）、それでいて外観はゾッキ調の美しい編地で（外観が美しく）、同じデニール使いのタイツに比較してハイゲージで編目が細かいために風を通しにくい（防風性に優れた）ことが、その技術的特徴である。
【００１３】
図２（Ａ）にこのタイツ１の編み組織の構成を模式的に示す平面図を、図２（Ｂ）にその断面図を、それぞれ示す。
ここで、これらの第１の編糸１０と第２の編糸２０としては特に限定されるものではないが、タイツ１に（脚を通した瞬間からの）暖かさを実現することに加えてタイツに好ましい伸縮性およびタイツに好ましい着心地を発現させるために、第１の編糸１０としてシングルカバリング糸（ＳＣＹ：Ｓｉｎｇｌｅ  Ｃｏｖｅｒｅｄ  Ｙａｒｎ）を採用して（平編み（プレーン編み）等で）、ゾッキタイプでタイツ１を編成することが好ましい。そして、このゾッキ編みの地編み組織に対して第２の編糸２０によるループが肌側に反対の外側よりも多く存在するように、かつ、第２の編糸２０自体が編目を構成することなく、このタイツ１を編成することが好ましい。そして、第１の編糸１０の一例が上述したようにＳＣＹであってと第２の編糸２０の一例がウーリーナイロンであるように構成することが好ましい。なお、ＳＣＹに代えてダブルカバリング糸（ＤＣＹ：Ｄｏｕｂｌｅ  Ｃｏｖｅｒｅｄ  Ｙａｒｎ）であっても構わない。
さらに詳しくは、編糸の具体的な一例は以下の通りである。
・第１の編糸（ＳＣＹ）
芯糸：ポリウレタン弾性糸（２２デシテックス／２フィラメント）
捲糸：ナイロン糸（４４デシテックス／３６フィラメント）
・第２の編糸（ウーリーナイロン）
４４デシテックス／３６フィラメント
【００１４】
このような編糸を採用して、第１の編糸１０により編成されたゾッキ編みの地編みのプレーン組織に対して第２の編糸２０によるループ（外側ループ２１および肌側ループ２２）が肌側に反対の外側よりも多く存在するように（一例として肌側ループ２２が外側ループ２１よりも長くなるように第１の編糸１０により編成されたゾッキ編みの地編みのプレーン組織に対して第２の編糸２０を添え糸として挿入）、かつ、第２の編糸２０自体が編目を構成することなく、筒状に編成された１対の編地のパンティ部３に相当する部分に切れ目を入れて裁断縁どうしをつき合わせて股部４を縫着して一体化してタイツ１を製造した。さらに、必要に応じてタイツ１を染色して、肌側がフリース調で脚を通した瞬間から暖かさを感じることができ（速攻防寒性に優れ）、それでいて外観はゾッキ調の美しい編地で（外観が美しく）、同じデニール使いのタイツに比較してハイゲージで編目が細かいために風を通しにくい（防風性に優れた）タイツ１が得られた。
【００１５】
［作用効果］
本実施の形態に係るタイツ１の作用効果について図２を参照して以下に詳しく説明する。
このタイツ１においては、第１の編糸１０により編成されたゾッキ編みの地編みのプレーン組織に対して第２の編糸２０によるループが肌側に反対の外側よりも多く存在するように、かつ、第２の編糸２０自体が編目を構成することなく編成されている。すなわち、図２（Ａ）および図２（Ｂ）に示すように、第２の編糸２０は、それ自体で編目を構成することなく、かつ、第１の編糸１０により編成された地編み組織に対して第２の編糸２０を挿入する位置により、第２の編糸２０による肌側ループ２２が外側ループ２１よりも長くなっており、第２の編糸２０によるループは肌側（肌側ループ２２）に反対の外側（外側ループ２１）よりも多く存在する。
【００１６】
ここで、第２の編糸２０による肌側ループ２２が外側ループ２１よりも長くなっているとして第２の編糸２０によるループの形態を説明したが、本発明はこれに限定されるものではなく、第２の編糸２０によるループが肌側に反対の外側よりも多く存在する形態であれば構わない。たとえば、図２（Ａ）および図２（Ｂ）に示すように、第２の編糸２０のループは、（模式的に表現されたループの長さの差異が明確でなくとも）弾性糸を含む第１の編糸１０の編目構造により（弾性糸の弾性力により）それ自体で編目を構成しない第２の編糸２０が引き締まる（図２（Ａ）の紙面裏側へ第２の編糸２０が引き出されて肌側ループ２２が飛び出すように形成される）ことにより、その肌側ループ２２が（外側ループ２１よりも）多く存在する形態であっても構わないし、その肌側ループ２２の１ループ長が（外側ループ２１の１ループ長よりも）長く存在する形態であっても構わない。
【００１７】
なお、いずれの形態であっても、弾性糸を含む第１の編糸１０の編目構造により（弾性糸の弾性力により）第２の編糸２０が引き締まるために、第２の編糸２０自体が編目を構成していなくとも肌側ループ２２および外側ループ２１のループ形状は安定して維持される。
このように、このタイツ１は、肌側（内側）に第２の編糸２０であるウーリーナイロン糸を（外側よりも多く）浮かす特殊な編成を採用したために、このタイツ１を着用すると、この肌側ループ２２がフリース調で肌側に接触するために、脚を通した瞬間から暖かさを感じることができる。
【００１８】
そして、このタイツ１は、第２の編糸２０自体が編目を構成しないように編成したために、従来のパイル編みと異なり外側は均一なプレーン地（ゾッキ調）の美しい外観を備える編地により実現できる。
以上のようにして、本実施の形態に係るタイツによると、肌側がフリース調で脚を通した瞬間から暖かさを感じることができ（速攻防寒性に優れ）、それでいて外観はゾッキ調の美しい編地で、同じデニール使いのタイツに比較してハイゲージで編目が細かいために
風を通しにくい（防風性に優れた）ために、防寒性に非常に優れるタイツであって外観が美しいタイツを実現することができる。
【００１９】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２０】
本発明は、下半身用衣類に好適であり、脚を通した瞬間から暖かさを感じることのできるタイツに代表される下半身用衣類に特に好適である。
【符号の説明】
【００２１】
１  タイツ
２  レッグ部
３  パンティ部
４  股部
１０  第１の編糸
２０  第２の編糸
２１  外側ループ
２２  肌側ループ
【図１】
2019151942.tif 000003
【図２】
2019151942.tif 000004